(57)【要約】【課題】  動画対応に最適な小型、軽量で且つフォーカシングによる収差変動が少ないズームレンズ及びそれを有する光学機器を提供すること。【解決手段】  物体側から像側に順に、正の屈折力の第１レンズ群、負の屈折力の第２レンズ群、正の屈折力の第３レンズ群、正の屈折力の第４レンズ群、負の屈折力の第５レンズ群、負の屈折力の第６レンズ群を有し、広角端から望遠端への変倍の際に第１レンズ群と第２レンズ群の間隔が広がり、第４レンズ群と第５レンズ群は光軸方向に移動し、フォーカシングに際して、第５レンズ群が光軸方向に移動し、以下の条件を満足することを特徴とするズームレンズ。    ０．４＜ｆ６／ｆ５＜３．０但し、ｆ４は第４レンズ群の焦点距離、ｆ５は第５レンズ群の焦点距離である。【選択図】  図１
2020140143.tif 000002
【特許請求の範囲】
【請求項１】
物体側から像側に順に、正の屈折力の第１レンズ群、負の屈折力の第２レンズ群、正の屈折力の第３レンズ群、正の屈折力の第４レンズ群、負の屈折力の第５レンズ群、負の屈折力の第６レンズ群を有し、広角端から望遠端への変倍の際に第１レンズ群と第２レンズ群の間隔が広がり、第４レンズ群と第５レンズ群は光軸方向に移動し、フォーカシングに際して、第５レンズ群が光軸方向に移動し、以下の条件を満足することを特徴とするズームレンズ。
０．４＜ｆ６／ｆ５＜３．０
但し、ｆ４は第４レンズ群の焦点距離、ｆ５は第５レンズ群の焦点距離である。
【請求項２】
以下の条件を満足することを特徴とする請求項１に記載のズームレンズ。
０．６５＜ＴＬ／ｆｔ＜０．８
但し、ＴＬは望遠端の光学全長、ｆｔは望遠端の焦点距離である。
【請求項３】
以下の条件を満足することを特徴とする請求項１又は請求項２に記載のズームレンズ。
１．０＜ｆ１／ｆｗ＜３．０
但し、ｆ１は第１レンズ群の焦点距離、ｆｗは広角端の焦点距離である。
【請求項４】
以下の条件を満足することを特徴とする請求項１乃至請求項３の何れか一項に記載のズームレンズ。
負の屈折力の第５レンズ群は、正の屈折力を有するレンズと負の屈折力を有するレンズの接合レンズからなることを特徴とする。
【請求項５】
以下の条件を満足することを特徴とする請求項１乃至請求項４の何れか一項に記載のズームレンズ。
−１．５＜ｆ５／ｆｗ＜−０．９
但し、ｆ５は第５レンズ群の焦点距離、ｆｗは広角端の焦点距離である。
【請求項６】
以下の条件を満足することを特徴とする請求項１乃至請求項５の何れか一項に記載のズームレンズ。
負の屈折力の第６レンズ群は、正の屈折力を有するレンズと負の屈折力を有するレンズの接合レンズからなることを特徴とする。
【請求項７】
以下の条件を満足することを特徴とする請求項１乃至請求項６の何れか一項に記載のズームレンズ。
負の屈折力の第６レンズ群は、変倍の際に固定していることを特徴とする。
【請求項８】
以下の条件を満足することを特徴とする請求項１乃至請求項７の何れか一項に記載のズームレンズ。
０．８＜ｆ３／ｆ４＜１．２
但し、ｆ３は第３レンズ群の焦点距離、ｆ４は第４レンズ群の焦点距離である。
【請求項９】
以下の条件を満足することを特徴とする請求項１乃至請求項８の何れか一項に記載のズームレンズ。
０．４＜｜Ｄ３ｔ／Ｄ３ｗ｜＜１．０
但し、Ｄ３ｔは望遠端の第３レンズ群と第４レンズ群の間隔、Ｄ３ｗは広角端の第３レンズ群と第４レンズ群の間隔である。
【請求項１０】
以下の条件を満足することを特徴とする請求項１乃至請求項９の何れか一項に記載のズームレンズ。
第１レンズ群を構成する正レンズは
νｄ１ｐ＞６５
θｇＦ１ｐ＜０．５５
なることを特徴とする。
但し、νｄ１ｐ、θｇＦ１ｐは第１レンズ群を構成する正レンズのアッベ数、部分分散比である。
【請求項１１】
以下の条件を満足することを特徴とする請求項１乃至請求項１０の何れか一項に記載のズームレンズ。
第１レンズ群を構成する負レンズは
νｄ１ｎ＞４０
なることを特徴とする。
但し、νｄ１ｎは第１レンズ群を構成する負レンズのアッベ数である。
【請求項１２】
以下の条件を満足することを特徴とする請求項１乃至請求項１１の何れか一項に記載のズームレンズ。
第２レンズ群は、正の屈折力を有するレンズと負の屈折力を有するレンズの接合レンズ、負の屈折力を有するレンズと正の屈折力を有するレンズの接合レンズ、負の屈折力を有するレンズの５枚構成からなることを特徴とする。
【請求項１３】
第２レンズ群内の負の屈折力を有するレンズと正の屈折力を有するレンズの接合レンズと負の屈折力を有するレンズを光軸と垂直の成分を含む方向に移動させることによって防振を行い、以下の条件を満足することを特徴とする請求項１乃至請求項１２の何れか一項に記載のズームレンズ。
０．３＜｜ｆ２ｂ／ｆｗ｜＜０．５
但し、ｆ２ｂは第２レンズ群内の負の屈折力を有するレンズと正の屈折力を有するレンズの接合レンズと負の屈折力を有するレンズの合成の焦点距離、ｆｗは広角端の焦点距離である。
【請求項１４】
請求項１乃至請求項１３の何れか一項に記載のズームレンズを有していることを特徴とする光学機器。
【発明の詳細な説明】
【技術分野】
【０００１】
本発明は、光学系に関し、特に銀塩フィルムカメラ、デジタルスチルカメラ、ビデオカメラ、デジタルビデオカメラ等のズームレンズ及びそれを有する光学機器に関する。
【背景技術】
【０００２】
近年、デジタルカメラやビデオカメラ等の光学機器には、高画素の撮像素子が用いられている。このような高画素の撮像素子を備える光学機器に用いられる撮影光学系には、諸収差が良好に補正され、画面全体にわたり高い光学性能を有することが要求されている。
【０００３】
望遠系のズームレンズの光学系において、物体側から像側に順に、正の屈折力の第１レンズ群、負の屈折力の第２レンズ群、正の屈折力の第３レンズ群、負の屈折力の第４レンズ群で構成された４群アフォーカルタイプ等が従来から用いられている。
【０００４】
従来よりズームレンズのフォーカシング方式としては、最も物体側のレンズを構成するレンズ群を移動させて行うのが一般的で、同一物体に対するこのフォーカスレンズの繰り出し量が焦点距離によらず一定であることがら鏡筒のメカ構造が比較的簡単になるという利点を有している。
【０００５】
しかしながら、近距離物体に対してフォーカシングを行う際に光束のケラレを防ぐためには前玉径を大きくしておく必要があり、フォーカシングレンズ群が大きく重くなる。また撮影レンズ中で重量の重いフォーカシングレンズ群を移動させることは、モーターの消費エネルギー、そしてフォーカススピードの点においても不利となってくる。
【０００６】
これに対して、こうした問題点を軽減させるべく前述レンズ以外のレンズを移動してフォーカシングを行う所謂リアフォーカス方式が種々提案されている。
【０００７】
近年、レンズ交換式のデジタルカメラにおいて、カメラボディの動画撮影機能に対応した交換レンズが提案されている。動画撮影機能に適したズーム光学系として、フォーカス駆動部分を極力軽量とするために、レンズ径が小さく構成枚数の少ないレンズ群が用いられている。
【０００８】
しかしながら、上述のレンズタイプは、第６レンズ群が正の屈折力を有する為、テレフォト比が取れず光学系の全長が長くなる。光学系の寸法・重量ともに大きくなり、小型・軽量化に不利である。
【０００９】
特許文献１では、正の屈折力を有する第１レンズ群、負の屈折力を有する第２レンズ群、開口絞り、正の屈折力を有する第３レンズ群、正の屈折力を有する第４レンズ群、負の屈折力を有する第５レンズ群、正の屈折力を有する第６レンズ群を有するズームレンズにおいて、変倍の際に各レンズ群が移動する。第６レンズ群が正の屈折力を有する為、テレフォト比が取れず光学系の全長が長くなる。また、第２レンズ群が像面側に移動することでフォーカスを行うが、レンズ枚数が４枚構成と重く、フォーカス駆動の点においても不利となってくる。
【００１０】
特許文献２では、正の屈折力を有する第１レンズ群、負の屈折力を有する第２レンズ群、正の屈折力を有する第３レンズ群、開口絞り、正の屈折力を有する第４レンズ群、負の屈折力を有する第５レンズ群、正の屈折力を有する第６レンズ群を有するズームレンズにおいて、変倍の際に第１レンズ群、第６レンズ群は固定、第２レンズ群〜第５レンズ群が移動する。第６レンズ群が正の屈折力を有する為、テレフォト比が取れず光学系の全長が長くなる。
【００１１】
特許文献３では、正の屈折力を有する第１レンズ群、負の屈折力を有する第２レンズ群、正の屈折力を有する第３レンズ群、正の屈折力を有する第４レンズ群、開口絞り、負の屈折力を有する第５レンズ群、正の屈折力を有する第６レンズ群を有するズームレンズにおいて、変倍の際に各レンズ群が移動する。第６レンズ群が正の屈折力を有する為、テレフォト比が取れず光学系の全長が長くなる。また、第４レンズ群が像面側に移動することでフォーカスを行うが、レンズ枚数が３枚構成と重く、フォーカス駆動の点においても不利となってくる。
【先行技術文献】
【特許文献】
【００１２】
【特許文献１】特開２０１１−３９５６０号公報
【特許文献２】特開２０１２−４７８１４号公報
【特許文献３】特開２０１３−９７３２４号公報
【発明の概要】
【発明が解決しようとする課題】
【００１３】
そこで、本発明の目的は、動画対応に最適な小型、軽量で且つフォーカシングによる収差変動が少ないズームレンズ及びそれを有するズームレンズを提供することにある。
【課題を解決するための手段】
【００１４】
上記の目的を達成するために、本発明に係るズームレンズは、
物体側から像側に順に、正の屈折力の第１レンズ群、負の屈折力の第２レンズ群、正の屈折力の第３レンズ群、正の屈折力の第４レンズ群、負の屈折力の第５レンズ群、負の屈折力の第６レンズ群を有し、広角端から望遠端への変倍の際に第１レンズ群と第２レンズ群の間隔が広がり、第４レンズ群と第５レンズ群は光軸方向に移動し、フォーカシングに際して、第５レンズ群が光軸方向に移動し、以下の条件を満足することを特徴とする。
【００１５】
０．４＜ｆ６／ｆ５＜３．０
但し、ｆ４は第４レンズ群の焦点距離、ｆ５は第５レンズ群の焦点距離である。
【発明の効果】
【００１６】
本発明によれば、動画対応に最適な小型で軽量化なフォーカシングを有するズームレンズ及びそれを有する光学機器の提供を実現できる。
【図面の簡単な説明】
【００１７】
【図１】実施例１無限遠物点における断面図
【図２】実施例１広角端の無限遠物点における縦収差図
【図３】実施例１中間端の無限遠物点における縦収差図
【図４】実施例１望遠端の無限遠物点における縦収差図
【図５】実施例１広角端の物体距離１．１ｍにおける縦収差図
【図６】実施例１中間端の物体距離１．１ｍにおける縦収差図
【図７】実施例１望遠端の物体距離１．１ｍにおける縦収差図
【図８】実施例２無限遠物点における断面図
【図９】実施例２広角端の無限物点における縦収差図
【図１０】実施例２中間端の無限物点における縦収差図
【図１１】実施例２望遠端の無限物点における縦収差図
【図１２】実施例２広角端の物体距離１．１ｍにおける縦収差図
【図１３】実施例２中間端の物体距離１．１ｍにおける縦収差図
【図１４】実施例２望遠端の物体距離１．１ｍにおける縦収差図
【図１５】実施例３無限遠物点における断面図
【図１６】実施例３広角端の無限物点における縦収差図
【図１７】実施例３中間端の無限物点における縦収差図
【図１８】実施例３望遠端の無限物点における縦収差図
【図１９】実施例３広角端の物体距離１．１ｍにおける縦収差図
【図２０】実施例３中間端の物体距離１．１ｍにおける縦収差図
【図２１】実施例３望遠端の物体距離１．１ｍにおける縦収差図
【図２２】実施例４無限遠物点における断面図
【図２３】実施例４広角端の無限物点における縦収差図
【図２４】実施例４中間端の無限物点における縦収差図
【図２５】実施例４望遠端の無限物点における縦収差図
【図２６】実施例４広角端の物体距離１．１ｍにおける縦収差図
【図２７】実施例４中間端の物体距離１．１ｍにおける縦収差図
【図２８】実施例４望遠端の物体距離１．１ｍにおける縦収差図
【図２９】アッベ数νｄと部分分散比θｇＦの関係を示したグラフ
【図３０】レンズを備える一眼レフカメラ（光学機器）の要部概略図
【発明を実施するための形態】
【００１８】
以下に、本発明の好ましい実施の形態を、添付の図面に基づいて詳細に説明する。
【００１９】
本発明の光学系は、カメラ用の望遠ズームレンズである。物体側から像側に順に、正の屈折力の第１レンズ群、負の屈折力の第２レンズ群、正の屈折力の第３レンズ群、正の屈折力の第４レンズ群、負の屈折力の第５レンズ群、負の屈折力の第６レンズ群を有するズームレンズである。広角端から望遠端への変倍の際に第１レンズ群と第２レンズ群の間隔が広がり、第４レンズ群と第５レンズ群は光軸方向に移動する。フォーカシングに際して、第５レンズ群が光軸方向に移動する。
【００２０】
上述のレンズタイプでは、絞りより後ろ側且つ像側に近いレンズ群は光束が低くなり小さくなりやすい。このため、絞りより後ろ側且つ像側に近いレンズ群をフォーカシングレンズ群にすると、保持機構および駆動機構が簡素化するとともに小型化が可能となる。
【００２１】
また変倍作用の小さい絞りより後ろ側のレンズ群をフォーカシングレンズ群にすると、無限遠から至近に合焦させた際に像倍率変化を小さくできる。この点は、被写体が無限遠から至近に変化した際に画角の変化を小さくすることができる為、動画撮影時において最適である。
【００２２】
このため、絞りより後ろ側且つ像側に近いレンズ群である第５レンズ群をフォーカシングレンズ群にすると、フォーカシングレンズ群の小型化が可能であると同時に無限遠から至近に合焦させた際に像倍率変化を小さくすることができる。
【００２３】
また上述のレンズタイプでは、第６レンズ群を適切に配置することで、第５レンズ群に適度なフォーカス敏感度を与え、且つ光学系の全長短縮に寄与することができる。
【００２４】
フォーカシングに際して、以下の条件を満足することを特徴とする。
【００２５】
０．４＜ｆ６／ｆ５＜３．０                          ・・・（１）
但し、ｆ５は第５レンズ群の焦点距離、ｆ６は第６レンズ群の焦点距離である。
【００２６】
条件式（１）は、フオーカシングの際の敏感度を適切な大きさに設定するための条件式である。条件式（１）の上限を超えて第５レンズ群の屈折力が強くなると、フォーカシングの際に光学性能の変動が大きくなる。又、第６レンズ群の屈折力が弱くなると、光学系の光学全長が長くなり、小型化するのに困難となる。
【００２７】
また、条件式（１）の下限を超えて第５レンズ群の屈折力が弱くなると、第５レンズ群のフォーカス敏感度が小さくなりフォーカシングの移動量が増加、光学系の全長も大きくなる。又、第６レンズ群の屈折力が強くなると、広角端における像面変動が大きくなり、光学性能を維持することが困難となる。さらに第５レンズ群と第６レンズ群の敏感度が上がり、製造が困難となる。
【００２８】
更に好ましくは条件式（１）の数値範囲を次の如く設定するのが良い。
【００２９】
０．４５＜｜ｆ６／ｆ５｜  ＜２．７                  ・・・（１ａ）
各実施例によれば、以上のようにレンズ構成を特定することによって、動画対応に最適な小型で軽量なフォーカシングを有するズームレンズが得られる。
【００３０】
各実施例において、更に小型、軽量で、高い光学性能を得るには、以下の条件式（２）を満足する構成である。条件式（２）は、望遠端の光学全長と焦点距離の比（テレフォト比）を示す。条件式（２）は、光学系の小型、軽量化と良好な光学性能を適切にするための条件式である。
【００３１】
０．６５＜ＴＬ／ｆｔ＜０．８                        ・・・（２）
但し、ＴＬは望遠端の光学全長、ｆｔは望遠端の焦点距離である。
【００３２】
条件式（２）の上限を超えると、光学系は大型化してしまう。条件式（７）の下限を超えると、望遠端において、光学性能が維持するのが困難になる。
【００３３】
更に好ましくは条件式（２）の数値範囲を次の如く設定するのが良い。
【００３４】
０．７＜ＴＬ／ｆｔ＜０．７８                        ・・・（２ａ）
各実施例において、更に小型で軽量で、高い光学性能を得るには、以下の条件式（３）を満足する構成である。
【００３５】
１．０＜ｆ１／ｆｗ＜３．０                          ・・・（３）
但し、ｆ１は第１レンズ群の焦点距離、ｆｗは広角端の焦点距離である。
【００３６】
条件式（３）は、光学系の小型・軽量化と良好な光学性能を適切にするための条件式である。条件式（３）の上限を超えて第１レンズ群の屈折力が弱くなると、光学系は大型化してしまう。条件式（３）の下限を超えて第１レンズ群の屈折力が強くなると、望遠端において、色収差が目立ち易くなり光学性能が維持するのが困難になる。
【００３７】
更に好ましくは条件式（３）の数値範囲を次の如く設定するのが良い。
【００３８】
２．０＜ｆ１／ｆｗ＜２．８                          ・・・（３ａ）
上述のように、第５レンズ群を以下のレンズ構成にすることで、小型で軽量なフォーカシングを有しつつ、良好な光学性能を得ることができる。特にフォーカシングによる色収差を低減できる。
【００３９】
負の屈折力の第５レンズ群は、正の屈折力を有するレンズと負の屈折力を有するレンズの接合レンズからなることを特徴とする。
【００４０】
各実施例において、更に小型で軽量なフォーカシングを有しつつ、高い光学性能を得るには、以下の条件式（４）を満足する構成である。
【００４１】
−１．５＜ｆ５／ｆｗ＜−０．９                      ・・・（４）
但し、ｆ５は第５レンズ群の焦点距離、ｆｗは広角端の焦点距離である。
【００４２】
条件式（４）は、条件式（１）同様にフォーカス群の敏感度をより適切にするための条件式である。条件式（４）の上限を超えて第５レンズ群の屈折力が弱くなると、第５レンズ群のフォーカス敏感度が小さくなり好ましくない。条件式（４）の下限を超えて第５レンズ群の屈折力が強くなると、フォーカシングの際に光学性能の変動が大きくなる。
【００４３】
更に好ましくは条件式（４）の数値範囲を次の如く設定するのが良い。
【００４４】
−１．４＜ｆ５／ｆｗ＜−１．０                      ・・・（４ａ）
上述のように、第６レンズ群を以下のレンズ構成にすることで、小型で軽量なフォーカシングを有しつつ、良好な光学性能を得ることができる。さらに広角端での倍率色収差を低減できる。
【００４５】
負の屈折力の第６レンズ群は、正の屈折力を有するレンズと負の屈折力を有するレンズの接合レンズからなることを特徴とする。
【００４６】
各実施例において、更に小型、軽量で高い光学性能を得るには、以下の条件を満足する構成である。
【００４７】
負の屈折力の第６レンズ群は、変倍の際に固定していることを特徴とする。
【００４８】
上述のように、第６レンズ群を変倍の際に固定することで、第６レンズ群の保持機構および駆動機構を簡素化することができる。また動画撮影時にフォーカシングによる騒音を抑制することができる。
【００４９】
各実施例において、更に小型、軽量で、高い光学性能を得るには、以下の条件式（５）を満足する構成である。
【００５０】
０．８＜ｆ３／ｆ４＜１．２                          ・・・（５）
但し、ｆ３は第３レンズ群の焦点距離、ｆ４は第４レンズ群の焦点距離である。
【００５１】
条件式（５）は、光学系の小型・軽量化と良好な光学性能を適切にするための条件式である。条件式（５）の上限を超えて、第３レンズ群の屈折力が第４レンズ群より弱くなると、光学系は大型化してしまう。条件式（５）の下限を超えて第３レンズ群の屈折力が第４レンズ群より強くなると、望遠端において、色収差が目立ち易くなり光学性能が維持するのが困難になる。
【００５２】
更に好ましくは条件式（５）の数値範囲を次の如く設定するのが良い。
【００５３】
０．９＜ｆ３／ｆ４＜１．１                          ・・・（５ａ）
各実施例において、更に小型、軽量で、高い光学性能を得るには、以下の条件式（５）を満足する構成である。
【００５４】
０．４＜Ｄ３ｔ／Ｄ３ｗ＜１．０                      ・・・（６）
但し、Ｄ３ｔは望遠端の第３レンズ群と第４レンズ群の間隔、Ｄ３ｗは広角端の第３レンズ群と第４レンズ群の間隔である。
【００５５】
条件式（６）は、光学系の小型・軽量化と良好な光学性能を適切にするための条件式である。変倍の際に、第３レンズ群と第４レンズ群を適切に移動させることで望遠端での色収差を良好に補正できる。
【００５６】
条件式（６）の上限を超えると、望遠端での第３レンズ群と第４レンズ群の間隔が大きくなり、光学系は大型化してしまう。条件式（６）の下限を超えると、望遠端における色収差の補正が困難になる。更に好ましくは条件式（６）の数値範囲を次の如く設定するのが良い。
【００５７】
０．９＜ｆ３／ｆ４＜１．１                          ・・・（６ａ）
各実施例において、更に小型、軽量で且つ色収差を良好に補正し、高い光学性能を得るには、以下の条件式（７）（８）を満足する構成である。
【００５８】
正の屈折力の第１レンズ群を構成する正のレンズは屈折力を有するレンズは、
νｄ１ｐ＞６５                                      ・・・（７）
θｇＦ１ｐ＜０．５５                                ・・・（８）
なることを特徴とする。
但し、νｄ１ｐ、θｇＦ１ｐは第１レンズ群を構成する正レンズのアッベ数、部分分散比である。ｇ線（４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとする。
【００５９】
するとアッベ数νｄ、部分分散比θｇＦ、は以下のように表すことができる。
【００６０】
νｄ＝（Ｎｄ−１）／（ＮＦ−ＮＣ）                  ・・・（ａ）
θｇＦ＝（Ｎｇ−ＮＦ）／（ＮＦ−ＮＣ）              ・・・（ｂ）
図２９はアッベ数νｄと部分分散比θｇＦの関係を示したグラフである。
【００６１】
図２９において、株式会社オハラ社製の製品名：ＰＢＭ２（νｄ＝３６．２６、θｇＦ＝０．５８２８）と製品名：ＮＳＬ７（νｄ＝６０．４９、θｇＦ＝０．５４３６）を示す。これら２点を結んだ線を基準線とする。低分散ガラスに関しては、基準線より上側に位置するものを使用するのが二次スペクトルの補正に対し効果的であり、基準線から離れるほど補正効果が高まる。
【００６２】
条件式（７）、（８）は、第１レンズ群を構成する正レンズにおいて、アッベ数と部分分散比の適切な値となる材料を示す。低分散でありながら、異常分散性を有しているレンズ材料は、色収差補正に効果的である。条件式（７）の下限を超えると、第１レンズ群で生じる色収差が大きくなり、第２レンズ群を構成する正レンズによる補正が不十分となり、光学系の色収差の補正が困難となる。また第１レンズ群で生じる色収差を小さくすると、第１レンズ群は大きくなり、小型、軽量化に不利である。
【００６３】
条件式（８）の上限を超えると、正レンズの材料の異常分散性が小さくなり、望遠端での倍率色収差を補正することが困難となる。
【００６４】
各実施例において、更に小型、軽量で高い光学性能を得るには、以下の条件を満足する構成である。
【００６５】
上述のように、第２レンズ群を変倍の際に固定することで、偏芯敏感度の大きな第２レンズ群による製造時の劣化を小さくすると共に、第２レンズ群の保持機構および駆動機構を簡素化することができる。
【００６６】
第２レンズ群は、正の屈折力を有するレンズと負の屈折力を有するレンズの接合レンズ、負の屈折力を有するレンズと正の屈折力を有するレンズの接合レンズ、負の屈折力を有するレンズの５枚構成からなることを特徴とする。
【００６７】
更に各実施例において、第２レンズ群内の負の屈折力を有するレンズと正の屈折力を有するレンズの接合レンズと負の屈折力を有するレンズを光軸と垂直の成分を含む方向に移動させることによって防振を行い、防振時の光学性能を良好に維持しつつ、防振のための駆動機構の小型化を達成するために、以下の条件式（１０）を満足することが望ましい。
【００６８】
０．３＜｜ｆ２ｂ／ｆｗ｜＜０．５                    ・・・（１０）
但し、ｆ２ｂは第２レンズ群内の負の屈折力を有するレンズと正の屈折力を有するレンズの接合レンズと負の屈折力を有するレンズの合成の焦点距離、ｆｗは広角端の焦点距離である。
【００６９】
条件式（１０）は、広角端の焦点距離に対する防振レンズ群の屈折力を適切にし、防振レンズ群を光軸と垂直方向に変位させた時の収差変動の敏感度と像位置補正の敏感度のバランスを維持するための条件式である。
【００７０】
また、条件式（１０）の上限を超えて防振レンズ群の屈折力が弱くなると、防振時に光軸と垂直成分を持つ方向に駆動させる量が大きくなって駆動機構の大型化を招き好ましくない。
【００７１】
条件式（１０）の下限を超えて防振レンズ群の屈折力が強くなると、防振の際に偏心収差が多く発生し、防振時の光学性能が低下して望ましくない。また、防振レンズ群の変位量に対する像位置の変化量（以下、防振敏感度という）が大きくなるため、必要な防振効果を得るための防振レンズ群の変位量が小さくなり過ぎて、その変位量を電気的又は機械的に精度良く制御するのが困難になる。
【００７２】
また、更に好ましくは条件式（１０）の数値範囲を次の如く設定するのが良い。
【００７３】
３２＜｜ｆ２ｂ／ｆｗ｜＜０．５                      ・・・（１０ａ）
各実施例によれば、以上のようにレンズ構成を特定することによって、動画対応に最適な小型で軽量なフォーカシングを有するズームレンズが得られる。
【００７４】
次に、本発明のズームレンズを用いた一眼レフカメラシステム（光学機器）の実施例を、図１８を用いて説明する。
【００７５】
図３０において、１０は一眼レフカメラ本体、１１は本発明による広角レンズを搭載した交換レンズである。１２は交換レンズ１１を通して得られる被写体像を記録するフィルムや撮像素子などの記録手段である。１３は交換レンズ１１からの被写体像を観察するファインダー光学系、１４は交換レンズ１１で形成された被写体像を記録手段１２とファインダー光学系１３に切り替えて伝送するための回動するクイックリターンミラーである。ファインダーで被写体像を観察する場合は、クイックリターンミラー１４を介してピント板１５に結像した被写体像をペンタプリズム１６で正立像としたのち、接眼光学系１７で拡大して観察する。
【００７６】
撮影時にはクイックリターンミラー１４が矢印方向に回動して被写体像は記録手段１２に結像して記録される。１８はサブミラー、１９は焦点検出装置である。
【００７７】
このように本発明の広角レンズを一眼レフカメラ等の交換レンズ等の光学機器に適用することにより、高い光学性能を有した光学機器が実現できる。
【００７８】
また、本光学機器は、クイックリターンミラー１４等を有さないミラ−レスの一眼レフカメラでも良いし、レンズ交換式ではない構成のものでも良い。
【００７９】
各実施例において、ｒは曲率半径、ｄはレンズ厚またはレンズ間隔、ｎｄはｄ線の屈折率、ｖｄはアッベ数、ＢＦはバックフォーカス値を示す。 
【実施例１】
【００８０】
以下、図１〜図７、表１を参照して、本発明の第１の実施例について示す。表１はその数値データである。各収差図から明らかなように本実施例では諸収差が良好に補正されていることがわかる。
（表１）
単位 mm
面データ
面番号       r        d      nd         vd       有効径
1         42.757    3.54   1.48749    70.2       31.09
2        268.676    0.11                         30.82
3         71.948    1.56   1.77909    48.2       30.41
4         28.343    4.80   1.49700    81.5       28.97
5        257.606  (可変)                         28.69
6       -224.725    2.54   1.61344    37.2       19.70
7        -34.722    0.75   1.80400    46.6       18.98
8        -56.800    2.15                         18.49
9        -80.367    0.80   1.67519    56.3       15.73
10         12.309    2.88   1.76022    31.9       14.33
11         47.860    1.22                         14.11
12        -42.491    0.80   1.80400    46.6       14.09
13         52.326  (可変)                         14.23
14         70.574    1.98   1.54808    65.4       14.64
15        -47.930    1.97                         14.80
16(絞り)    ∞       0.43                         14.99
17         26.535    3.32   1.48794    69.9       15.10
18        -28.016    0.88   1.91203    35.2       14.93
19       -136.214  (可変)                         14.95
20         75.201    0.80   1.83699    26.9       15.88
21         29.596    1.42                         15.96
22         92.860    2.16   1.58667    62.7       16.38
23        -40.706    0.09                         16.67
24         27.445    2.44   1.60106    61.6       17.23
25       -325.475  (可変)                         17.14
26       -423.611    2.12   1.81682    31.7       16.10
27        -28.682    0.69   1.74925    50.3       16.01
28         37.986  (可変)                         15.70
29        -29.442    1.74   1.87686    21.6       18.18
30        -20.430    0.81   1.80400    46.6       18.52
31        -82.590  (可変)                         19.32
像面        ∞   
各種データ
広角     中間     望遠
焦点距離      45.00    90.00   181.25  
Fナンバー      4.13     5.03     5.83  
画角          16.89     8.63     4.31  
像高          13.66    13.66    13.66  
レンズ全長   112.20   136.54   156.45  
BF            18.76    18.76    18.76  
d 5            1.25    25.59    45.50  
d13           16.03     9.00     1.23  
d19           19.29    14.02    10.03  
d25           10.36     5.30     1.39  
d28            4.52    21.88    37.55  
d31           18.76    18.76    18.76  
ズームレンズ群データ
群  始面    焦点距離 
1    1     112.50   
2    6     -21.87   
3   14      34.37   
4   20      34.74   
5   26     -51.73         2.80         1.45         -0.11
6   29     -62.50         2.55        -1.04         -2.46
【実施例２】
【００８１】
以下、図８〜図１４、表２を参照して、本発明の第２の実施例について示す。表２はその数値データである。各収差図から明らかなように本実施例では諸収差が良好に補正されていることがわかる。
（表２）
単位 mm
面データ
面番号       r        d      nd         vd
1         37.086    3.73   1.48749    70.2           
2        137.947    0.09                             
3         56.516    1.56   1.77992    48.1           
4         25.181    4.77   1.49700    81.5           
5        112.274  (可変)                             
6        171.598    3.70   1.59121    39.9           
7        -28.406    0.75   1.80400    46.6           
8        -57.194    2.15                             
9       -101.277    0.80   1.75750    49.7           
10         11.042    3.15   1.82810    30.4           
11         40.490    1.44                             
12        -30.077    0.80   1.80703    43.6           
13         60.899  (可変)                             
14         28.390    2.93   1.48749    70.2           
15        -35.040    1.96                             
16(絞り)    ∞       0.43                             
17         33.461    5.31   1.48749    70.2           
18        -18.894    0.88   1.88316    37.6           
19       -167.028  (可変)                             
20         48.807    0.80   1.84666    23.9           
21         25.884    0.89                             
22         70.179    3.73   1.59752    39.1           
23        -40.243    0.09                             
24         22.403    2.97   1.48749    70.2           
25       -165.083  (可変)                             
26       -122.872    2.98   1.84828    36.5           
27        -16.711    0.69   1.80400    46.6           
28         68.595  (可変)                             
29        -34.679    1.95   1.80809    22.8           
30        -18.054    0.81   1.81223    45.5           
31         99.879  (可変)                             
像面        ∞   
各種データ
広角     中間     望遠
焦点距離      45.01    90.00   181.23  
Fナンバー      4.16     5.10     5.83  
画角          16.88     8.63     4.31  
像高          13.66    13.66    13.66  
レンズ全長   112.20   135.64   156.43  
BF            18.75    18.75    18.75  
d 5            1.24    24.69    45.48  
d13           17.76     9.08     1.12  
d19           14.62    13.03    12.51  
d25            6.83     3.20     1.35  
d28            3.62    17.53    27.85  
d31           18.75    18.75    18.75  
ズームレンズ群データ
群  始面    焦点距離  
1    1     118.75  
2    6     -20.10  
3   14      31.24  
4   20      29.72  
5   26     -62.13  
6   29     -31.29  
【実施例３】
【００８２】
以下、図１５〜図２１、表３を参照して、本発明の第３の実施例について示す。表３はその数値データである。各収差図から明らかなように本実施例では諸収差が良好に補正されていることがわかる。
（表３）
単位 mm
面データ
面番号       r        d      nd         vd
1         37.086    3.73   1.48749    70.2           
2        137.947    0.09                             
3         56.516    1.56   1.77992    48.1           
4         25.181    4.77   1.49700    81.5           
5        112.274  (可変)                             
6        171.598    3.70   1.59121    39.9           
7        -28.406    0.75   1.80400    46.6           
8        -57.194    2.15                             
9       -101.277    0.80   1.75750    49.7           
10         11.042    3.15   1.82810    30.4           
11         40.490    1.44                             
12        -30.077    0.80   1.80703    43.6           
13         60.899  (可変)                             
14         28.390    2.93   1.48749    70.2           
15        -35.040    1.96                             
16(絞り)    ∞       0.43                             
17         33.461    5.31   1.48749    70.2           
18        -18.894    0.88   1.88316    37.6           
19       -167.028  (可変)                             
20         48.807    0.80   1.84666    23.9           
21         25.884    0.89                             
22         70.179    3.73   1.59752    39.1           
23        -40.243    0.09                             
24         22.403    2.97   1.48749    70.2           
25       -165.083  (可変)                             
26       -122.872    2.98   1.84828    36.5           
27        -16.711    0.69   1.80400    46.6           
28         68.595  (可変)                             
29        -34.679    1.95   1.80809    22.8           
30        -18.054    0.81   1.81223    45.5           
31         99.879  (可変)                             
像面        ∞   
各種データ
広角     中間     望遠
焦点距離      45.01    90.00   181.23  
Fナンバー      4.16     5.10     5.83  
画角          16.88     8.63     4.31  
像高          13.66    13.66    13.66  
レンズ全長   112.20   135.64   156.43  
BF            18.75    18.75    18.75  
d 5            1.24    24.69    45.48  
d13           17.76     9.08     1.12  
d19           14.62    13.03    12.51  
d25            6.83     3.20     1.35  
d28            3.62    17.53    27.85  
d31           18.75    18.75    18.75  
ズームレンズ群データ
群  始面    焦点距離  
1    1     118.75  
2    6     -20.10  
3   14      31.24  
4   20      29.72  
5   26     -62.13  
6   29     -31.29  
【実施例４】
【００８３】
以下、図２２〜図２８、表４を参照して、本発明の第４の実施例について示す。表４はその数値データである。各収差図から明らかなように本実施例では諸収差が良好に補正されていることがわかる。
（表４）
単位 mm
面データ
面番号       r        d      nd         vd
1         46.684    3.35   1.48749    70.2           
2        262.541    0.11                             
3         79.359    1.56   1.78575    47.7           
4         30.844    4.87   1.49700    81.5           
5       2448.121  (可変)                             
6       -106.340    1.91   1.77008    28.2           
7        -47.181    0.75   1.84666    23.9           
8        -57.194    2.15                             
9        -63.126    0.80   1.69604    54.5           
10         13.026    2.82   1.79686    31.0           
11         50.710    1.21                             
12        -44.157    0.80   1.77681    48.3           
13         55.060  (可変)                             
14         88.714    1.95   1.61692    52.7           
15        -46.971    1.97                             
16(絞り)    ∞       0.44                             
17         26.368    3.21   1.49532    69.6           
18        -32.543    0.88   1.97770    30.1           
19       -167.470  (可変)                             
20         81.044    0.80   1.83876    26.3           
21         29.255    1.22                             
22        102.028    1.96   1.60774    61.3           
23        -45.276    0.09                             
24         28.293    2.18   1.69956    54.2           
25       76855.014  (可変)                             
26       -914.657    1.98   1.86642    24.4           
27        -33.200    0.69   1.74936    40.6           
28         31.006  (可変)                             
29        -28.223    1.77   1.87919    23.4           
30        -20.618    0.81   1.80410    45.7           
31        -43.648  (可変)                             
像面        ∞   
各種データ
広角     中間     望遠
焦点距離      45.00    90.00   181.25  
Fナンバー      4.11     5.00     5.83  
画角          16.89     8.63     4.31  
像高          13.66    13.66    13.66  
レンズ全長   113.44   139.00   157.69  
BF            20.00    20.00    20.00  
d 5            1.25    26.81    45.50  
d13           16.08     9.77     1.29  
d19           21.75    13.96     8.34  
d25            9.23     4.42     1.39  
d28            4.85    23.76    40.88  
d31           20.00    20.00    20.00  
ズームレンズ群データ
群  始面    焦点距離  
1    1     109.69  
2    6     -22.18  
3   14      33.46  
4   20      36.71  
5   26     -46.33  
6   29    -121.78  
以上、本発明の好ましい実施形態について説明したが、本発明はこれらの実施形態に限定されず、その要旨の範囲内で種々の変形及び変更が可能である。
【００８４】
次に各条件式に対しての値を表５に示す。
【００８５】
【表１】
2020140143.tif 000003
【００８６】
各実施例の光学系は、銀塩フィルムカメラ、デジタルスチルカメラ、ビデオカメラ、デジタルビデオカメラ等の光学機器に用いられる撮影光学系である。レンズ断面図において、左方が物体側（前方）で、右方が像側（後方）である。レンズ断面図において、ＳＰは絞り（開口絞り）である。
【００８７】
ＩＰは像面であり、ビデオカメラやデジタルスチルカメラの撮影光学系として使用する際にはＣＣＤセンサやＣＭＯＳセンサなどの固体撮像素子（光電変換素子）の撮像面が、銀塩フィルム用カメラのときはフィルム面に相当する。
【００８８】
それぞれの縦収差図は、左から順に、球面収差、非点収差、歪曲、倍率色収差を表している。球面収差と倍率色収差を示す図において、実線はｄ線（５８７．６ｎｍ）、破線はｇ線（４３５．８ｎｍ）を表している。また、非点収差を示す図において、実線はｄ線のサジタル方向ΔＳ、破線はｄ線のメリディオナル方向ΔＭを表している。また、歪曲を示す図は、ｄ線における歪曲を表している。横収差図において、実線はｄ線のメリディオナル方向ΔＭ、破線はｄ線のサジタル方向ΔＳを表している。ＦｎｏはＦナンバー、ωは半画角、ｈｇｔは像高である。
【符号の説明】
【００８９】
ＳＰ  絞り
ＩＰ  像面
ｄ  ｄ線
ｇ  ｇ線
Ｍ  メリディオナル像面
Ｓ  サジタル像面
【図１】
2020140143.tif 000004
【図２】
2020140143.tif 000005
【図３】
2020140143.tif 000006
【図４】
2020140143.tif 000007
【図５】
2020140143.tif 000008
【図６】
2020140143.tif 000009
【図７】
2020140143.tif 000010
【図８】
2020140143.tif 000011
【図９】
2020140143.tif 000012
【図１０】
2020140143.tif 000013
【図１１】
2020140143.tif 000014
【図１２】
2020140143.tif 000015
【図１３】
2020140143.tif 000016
【図１４】
2020140143.tif 000017
【図１５】
2020140143.tif 000018
【図１６】
2020140143.tif 000019
【図１７】
2020140143.tif 000020
【図１８】
2020140143.tif 000021
【図１９】
2020140143.tif 000022
【図２０】
2020140143.tif 000023
【図２１】
2020140143.tif 000024
【図２２】
2020140143.tif 000025
【図２３】
2020140143.tif 000026
【図２４】
2020140143.tif 000027
【図２５】
2020140143.tif 000028
【図２６】
2020140143.tif 000029
【図２７】
2020140143.tif 000030
【図２８】
2020140143.tif 000031
【図２９】
2020140143.tif 000032
【図３０】
2020140143.tif 000033